(57)【要約】      （修正有）【課題】溶出した犠牲陽極による微生物殺滅手段の性能低下を抑制することのできるバラスト水処理装置の提供。【解決手段】バラスト水を流通させる配管Ｌ１〜Ｌ８と、微生物殺滅手段３と、当該配管の腐食を抑制する犠牲陽極６とを備えたバラスト水処理装置であって、犠牲陽極６が微生物殺滅手段３の下流側に設けられる、バラスト水処理装置。微生物殺菌手段３の上流側にバラスト水を濾過するフィルタ２を設け、微生物殺菌手段が設けられる配管に清水を導入する清水導入手段７を更に備え、バラスト水の流通停止時に、微生物殺菌手段３が設けられている配管を清水で満たすように制御することが好ましい、バラスト水処理装置。【選択図】図１
2018095949.tif 000002
【特許請求の範囲】
【請求項１】
バラスト水を流通させる配管と、微生物殺滅手段と、当該配管の腐食を抑制する犠牲陽極とを備えたバラスト水処理装置であって、
前記犠牲陽極が前記微生物殺滅手段の下流側に設けられる、バラスト水処理装置。
【請求項２】
前記微生物殺滅手段と前記犠牲陽極の間に第１のバルブが設けられる、請求項１に記載のバラスト水処理装置。
【請求項３】
前記バラスト水の流通及び前記バルブの開閉を制御する制御手段を備え、当該制御手段は、前記微生物殺滅手段への前記バラスト水の流通停止時に前記バルブを閉止する、請求項２に記載のバラスト水処理装置。
【請求項４】
前記微生物殺滅手段の上流側に前記バラスト水を濾過処理するフィルタをさらに備え、当該フィルタと前記微生物殺滅手段の間に第２のバルブが設けられる、請求項３に記載のバラスト水処理装置。
【請求項５】
前記微生物殺滅手段が設けられる配管に清水を導入する清水導入手段をさらに備え、前記制御手段は、前記バラスト水の流通停止時に前記微生物殺滅手段が設けられる配管を前記清水導入手段により清水で満たすよう制御する、請求項４に記載のバラスト水処理装置。
【請求項６】
前記微生物殺滅手段が紫外線処理手段である、請求項１〜請求項５の何れかに記載のバラスト水処理装置。
【請求項７】
前記微生物殺滅手段が電解処理手段である、請求項１〜請求項５の何れかに記載のバラスト水処理装置。
【発明の詳細な説明】
【技術分野】
【０００１】
この発明は、微生物殺滅手段を備えたバラスト水処理装置に関する。
【背景技術】
【０００２】
タンカー等の船舶は、積み荷の原油等を降ろした後、再度目的地に向けて航行する際、航行中の船舶のバランスを取るため、通常、バラスト水と呼ばれる水をバラストタンク内に貯留する。バラスト水は、基本的に荷上港で取水されて、荷積港で排出される。そのため、それらの場所が異なっていれば、バラスト水中に含まれるプランクトンや細菌類の微生物が世界中を移動することになる。従って、荷上港と異なる水域の荷積港でバラスト水を排出すると、その港に別の水域の微生物を放出することになり、その水域の生態系を破壊するおそれがある。
【０００３】
そこで、バラスト水中に含まれる微生物の含有量を低減するために、バラスト水処理装置が用いられている。例えば、特許文献１に記載のバラスト水処理装置は、微生物の殺滅処理（殺菌処理）をする微生物殺滅手段として、バラスト水に紫外線を照射する紫外線処理手段を備えている。
【先行技術文献】
【特許文献】
【０００４】
【特許文献１】特開２００６−２４８５１０号公報
【発明の概要】
【発明が解決しようとする課題】
【０００５】
ところで、船内においてバラスト水が流通する配管は、亜鉛等によるメッキが施されているものの、海水による腐食や微生物殺滅手段との接合における異種金属腐食等によりメッキが徐々に溶出するため、配管内にメッキの溶出を抑制する犠牲陽極（亜鉛、アルミニウム等）を設けることがある。
【０００６】
しかしながら、このような構成の場合、メッキに代わって溶出する犠牲陽極が微生物殺滅手段の構成要素に付着し、微生物の殺滅処理性能を低下させるおそれがあった。
【０００７】
本発明はこのような事情に鑑みてなされたものであり、溶出した犠牲陽極による微生物殺滅手段の性能低下を抑制することのできるバラスト水処理装置を提供することを目的とする。
【課題を解決するための手段】
【０００８】
本発明によれば、バラスト水を流通させる配管と、微生物殺滅手段と、当該配管の腐食を抑制する犠牲陽極とを備えたバラスト水処理装置であって、前記犠牲陽極が前記微生物殺滅手段の下流側に設けられる、バラスト水処理装置が提供される。
【０００９】
このような構成によれば、犠牲陽極が微生物殺滅手段の下流側に設けられることから、微生物殺滅手段の近傍において犠牲陽極が溶出することを抑制でき、微生物殺滅手段の性能低下を抑制することが可能となる。
【００１０】
以下、本発明の種々の実施形態を例示する。以下に示す実施形態は互いに組み合わせ可能である。
【００１１】
好ましくは、前記微生物殺滅手段と前記犠牲陽極の間に第１のバルブが設けられる。
【００１２】
好ましくは、前記バラスト水の流通及び前記バルブの開閉を制御する制御手段を備え、当該制御手段は、前記微生物殺滅手段への前記バラスト水の流通停止時に前記バルブを閉止する。
【００１３】
好ましくは、前記微生物殺滅手段の上流側に前記バラスト水を濾過処理するフィルタをさらに備え、当該フィルタと前記微生物殺滅手段の間に第２のバルブが設けられる。
【００１４】
好ましくは、前記微生物殺滅手段が設けられる配管に清水を導入する清水導入手段をさらに備え、前記制御手段は、前記バラスト水の流通停止時に前記微生物殺滅手段が設けられる配管を前記清水導入手段により清水で満たすよう制御する。
【００１５】
好ましくは、前記微生物殺滅手段が紫外線処理手段である。また、好ましくは、前記微生物殺滅手段が電解処理手段である。
【図面の簡単な説明】
【００１６】
【図１】本発明の実施形態に係るバラスト水処理装置の概略を示す図である。
【図２】バラスト水の流路を示す説明図であり、（ａ）はバラスト処理時の流路、（ｂ）はデバラスト処理時の流路を示す。
【発明を実施するための形態】
【００１７】
本発明に係るバラスト水処理装置の実施形態について、以下図面を参照しながら説明する。以下に示す実施形態中で示した各種特徴事項は、互いに組み合わせ可能である。また、各特徴について独立して発明が成立する。
【００１８】
１．バラスト水処理装置の構成
図１は、本実施形態に係るバラスト水処理装置の構成を示す概略図である。図１に示すように、本実施形態のバラスト水処理装置は、海水等の船外の水をシーチェストＳＣから船内に取り込んでバラスト水として圧送するポンプ１と、フィルタを備えバラスト水を濾過処理するバラスト水濾過装置２と、微生物殺滅手段の１つである紫外線処理手段としての紫外線リアクタ３と、バラスト水を貯留するバラストタンク４と、バラスト水処理装置の各処理の制御を行う制御手段５と、犠牲陽極６とを備える。
【００１９】
ここで、紫外線リアクタ３は、内部に透明な石英保護管で覆われた紫外線ランプ（図示せず）を有しており、紫外線ランプによりバラスト水に紫外線を照射して微生物を殺菌処理するものである。
【００２０】
また、犠牲陽極６は、海水等が流通し腐食環境下にある配管の腐食を防止するために設けられるイオン化傾向の高い金属（例えば、Ａｌ、Ｚｎ、Ｍｇ等）であり、配管とのイオン化傾向の高低を利用して、配管がイオン化するのに代わってこれらがイオン化することにより、配管の腐食を防ぐものである。
【００２１】
なお、本明細書において「バラスト水」については、バラストタンク４に導入（流入）される前又はバラストタンク４から排出（流出）された後に拘わらず、また、バラスト水濾過装置２に導入（流入）される前又はバラスト水濾過装置２から排出（流出）された後に拘わらず、更には、紫外線リアクタ３に導入（流入）される前又は紫外線リアクタ３から排出（流出）された後に拘わらず、船内に取り込まれた水を全て「バラスト水」と表現し、これは、海水、淡水、汽水等を含む。
【００２２】
また、本実施形態に係るバラスト水処理装置は、上記各構成要素を流通する複数のラインＬ１〜Ｌ８を備える。「ライン」とは、配管により形成される、流路、経路、管路等の流体の流通が可能なラインの総称である。
【００２３】
具体的には、図１に示すように、ラインＬ１はシーチェストＳＣとポンプ１を接続するラインであり、開閉弁Ｖ１を有する。ラインＬ２はポンプ１とバラスト水濾過装置２を接続するラインであり、ラインＬ３はバラスト水濾過装置２と紫外線リアクタ３を接続するラインである。ラインＬ３は、第２のバルブとしての開閉弁Ｖ２を備え、開閉弁Ｖ２の後流側には清水導入手段７が接続される。また、ラインＬ４は、紫外線リアクタ３とバラスト水を船外へ排出する船外排出口ＤＰを接続するラインであり、第１のバルブとしての開閉弁Ｖ３、犠牲陽極６、開閉弁Ｖ４をこの順に備える。なお、ラインＬ１〜ラインＬ４は、これらを合わせて、シーチェストＳＣと船外排出口ＤＰとを接続する主管とも呼ばれる。
【００２４】
次に、ラインＬ５は、一端がラインＬ２と接続され、他端がバラスト水濾過装置２と開閉弁Ｖ２の間の位置においてラインＬ３と接続されて、バラスト水濾過装置２をバイパスするラインであり、開閉弁Ｖ５を有する。ラインＬ６は、一端が犠牲陽極６と開閉弁Ｖ４の間の位置においてラインＬ４と接続され、他端がバラストタンク４に接続されて、紫外線リアクタ３とバラストタンク４を接続するラインであり、開閉弁Ｖ６を有する。そして、ラインＬ７は、一端が開閉弁Ｖ６とバラストタンク４の間の位置においてラインＬ６と接続され、他端が開閉弁Ｖ１とポンプ１の間の位置においてラインＬ１と接続されて、バラストタンク４とポンプ１を接続するラインであり、開閉弁Ｖ７を有している。
【００２５】
また、本実施形態において、バラスト水濾過装置２は、濾過処理中にフィルタの洗浄を行うフィルタ洗浄手段（図示せず）を備えており、フィルタ洗浄手段により排出される洗浄汚水を船外へ排出するラインＬ８が接続される。ラインＬ８には、開閉弁Ｖ８が設けられる。
【００２６】
制御手段５は、バラスト水のバラストタンク４への漲水（バラスト処理）制御及びバラストタンク４からの排水（デバラスト処理）制御等を行う。これらの制御は、ポンプ１及び、上述した開閉弁Ｖ１〜Ｖ８の開閉を制御することにより行われる。
【００２７】
２．バラスト水処理装置の動作
次に、以上のように構成された本実施形態のバラスト水処理装置の動作を説明する。図２（ａ）及び図２（ｂ）は、本実施形態に係るバラスト水処理装置のバラスト動作（漲水）時及びデバラスト動作（排水）時にバラスト水が流れる経路を示している。
【００２８】
まず、図２（ａ）に示すバラスト動作時には、制御手段５は、開閉弁Ｖ１，Ｖ２，Ｖ３，Ｖ６，Ｖ８を開き、開閉弁Ｖ４，Ｖ５，Ｖ７を閉じて、ポンプ１を起動するとともに、紫外線ランプに通電する。ポンプ１の起動により、シーチェストＳＣから船外の水（海水等）が取り込まれ、ラインＬ１，Ｌ２を通ってバラスト水濾過装置２へと通水される。バラスト水濾過装置２へ通水されたバラスト水は、フィルタにより濾過処理された後、ラインＬ３を通って紫外線リアクタ３へと流れる。ここで、上述したバラスト水濾過装置２のフィルタ洗浄手段により、バラスト水濾過装置２へ流入したバラスト水の一部は、フィルタ洗浄の汚水としてラインＬ８を通って船外へと排出される。紫外線リアクタ３を通過するバラスト水には紫外線ランプにより紫外線が照射され、殺菌処理がなされる。そして、殺菌処理がなされたバラスト水はラインＬ４の一部とラインＬ６を通過してバラストタンク４へと送り込まれる。
【００２９】
一方、図２（ｂ）に示すデバラスト動作時には、開閉弁Ｖ７，Ｖ５，Ｖ２，Ｖ３，Ｖ４を開き、開閉弁Ｖ１，Ｖ６，Ｖ８を閉じて、ポンプ１を起動するとともに紫外線ランプに通電する。ポンプ１の起動により、バラストタンク４の水がラインＬ７、ラインＬ１の一部、ラインＬ５、ラインＬ３の一部を通って紫外線リアクタ３へと流れ、その後、ラインＬ４を通って船外排出口ＤＰから船外へと排出される。船外へ排出するバラストタンク４内のバラスト水がバラスト水濾過装置２を通らず、ラインＬ５によりバイパスされているのは、バラストタンク４内のバラスト水は上述したバラスト処理時にすでに一度濾過処理を行っているためである。
【００３０】
なお、バラストタンク４内のバラスト水の残量が少なくなってからは、ポンプ１がキャビテーションを起こさないよう開閉弁Ｖ１を開き、船外から取り込んだ水と一緒にバラストタンク４内のバラスト水を排水するのが好ましい。この場合は、開閉弁Ｖ３を閉じて開閉弁Ｖ６を開きバラスト水濾過装置２による濾過処理を行ってから排水しても良い。
【００３１】
そして、上記のようなバラスト動作又はデバラスト動作が完了した後は、制御手段５は、ポンプ１を停止させてバラスト水の流通を停止し、清水導入手段７によりラインＬ３に清水を導入して、開閉弁Ｖ２及び開閉弁Ｖ３を閉止して紫外線リアクタ３が清水で満たされるよう制御する。
【００３２】
３．作用効果
以上説明した実施形態によれば、次の作用効果を奏することができる。
（イ）バラスト動作時及びデバラスト動作時には、流路を形成する配管内を海水等であるバラスト水が流通するため、配管は腐食環境下に置かれるが、本実施形態のバラスト水処理装置では流路中に犠牲陽極６が設けられていることから、犠牲陽極６がイオン化することにより、配管や配管に施されたメッキの腐食が抑制される。
（ロ）流路中にＳＵＳ等により形成される紫外線リアクタ３が設けられているため、配管と紫外線リアクタ３の接合により異種金属腐食が生じるおそれがあるが、犠牲陽極６を紫外線リアクタ３の後流側に隣接して設けることで、異種金属腐食による配管の溶出も抑制することができる。
（ハ）バラスト動作時においてもデバラスト動作時においても、図２（ａ）の矢印Ａ１及び図２（ｂ）の矢印Ａ２に示すように、犠牲陽極６は紫外線リアクタ３よりも下流側となるよう配置されていることから、犠牲陽極６から溶出した金属（亜鉛やアルミニウム等）が紫外線リアクタ３に流入し、紫外線ランプの保護管に付着して紫外線照射が妨げられることを防止することが可能となっている。
（ニ）制御手段５がバラスト動作又はデバラスト動作完了後に、紫外線リアクタ３が清水で満たされるよう制御することから、紫外線リアクタ３と、紫外線リアクタ３前後の配管及び犠牲陽極６とが切り離され、溶出した金属が紫外線リアクタ３の石英保護管に付着して紫外線ランプによる紫外線照射が妨げられることを防止することができる。また、紫外線リアクタ３を清水で満たすことで、紫外線ランプを冷却することもできる。
【００３３】
４．変形例
本発明に係るバラスト水処理装置は、以下の形態においても実施することができる。
・上述した実施形態においては、バラスト水処理装置はバラスト水濾過装置２を備えていたが、紫外線リアクタ３のみとすることや、バラスト水を浄化する他の装置を有していても良い。
・上述した実施形態においては、制御手段５はバラスト水の流通停止時に紫外線リアクタ３のみを清水で満たすよう制御していたが、バラスト水濾過装置２及び配管も清水で満たすよう制御しても良い。
・上述した実施形態では、バラスト水処理時に、バラスト水濾過装置２及び紫外線リアクタ３を共に通過させてバラスト水を処理する制御のみを説明したが、バラスト水の状態等に応じて、バラスト水濾過装置２及び紫外線リアクタ３のいずれか一方の処理のみを行うことも可能である。この点、バラスト水濾過装置２のみの処理を行う場合には、バラスト水処理装置に紫外線リアクタ３をバイパスするライン（図示せず）を別途設け、制御手段５が、開閉弁Ｖ２及び開閉弁Ｖ３を閉止して紫外線リアクタ３へのバラスト水の流通を停止し、清水導入手段７によりラインＬ３に清水を導入して、紫外線リアクタ３が清水で満たされるよう制御することが好ましい。
【００３４】
また、上述した実施形態においては、微生物の殺滅処理をする微生物殺滅手段として紫外線リアクタ３（紫外線処理手段）を用いた例を説明したが、微生物殺滅手段として電解処理手段を用いるものも、本発明の適用範囲である。ここで、電解処理手段は、例えば、バラスト水を流通させるチャンバ内に電極を備えて構成され、バラスト水を電気分解してバラスト水に含まれる塩化ナトリウム(ＮａＣｌ)等から殺菌作用のある次亜塩素酸ナトリウムを発生させることで、流し込まれたバラスト水に含まれる微生物を殺滅するものである。
【００３５】
このような電解処理手段を用いたバラスト水処理装置では、配管の腐食を防止するために犠牲陽極６を設けることで、犠牲陽極６から溶出した犠牲陽極の成分が電解電極に付着して、適切な性能を発揮できなくなるおそれがある。しかしながら、本願発明では、犠牲陽極６を紫外線リアクタ３の後流側に設けていることで、犠牲陽極６から溶出した金属（亜鉛やアルミニウム等）の電解電極への付着を抑制することができる。また、バラスト水の処理後には、電解処理手段のチャンバ内を清水で満たされるよう制御することによって、電解電極と犠牲陽極６とが切り離されるため、金属の電解電極への付着を一層抑制することができる。
【００３６】
以上、本発明の好ましい実施形態について説明した。しかし、本発明は、上述した実施形態に限定されることなく、種々の形態で実施することができる。特に、発明の均等な範囲において開閉弁やポンプの上流下流に係る順序を一部入れ替えたり、新たなライン、開閉弁、ポンプ等を追加したりしてもかまわない。
【符号の説明】
【００３７】
１      ：ポンプ
２      ：バラスト水濾過装置
３      ：紫外線リアクタ（紫外線処理手段、微生物殺滅手段）
４      ：バラストタンク
５      ：制御手段
６      ：犠牲陽極
７      ：清水導入手段
Ｌ１〜Ｌ８    ：ライン
ＤＰ        ：船外排出口
ＳＣ        ：シーチェスト
Ｖ１〜Ｖ８    ：開閉弁
【図１】
2018095949.tif 000003
【図２】
2018095949.tif 000004